(57)【要約】      （修正有）【課題】災害時に容易に装着することができ、しかも、装着するだけで少なくとも有毒ガスや煙の体内への侵入を確実に緩和できる防護マスク、及び、災害を検知して防護マスクの保管場所を確実に報知する防護マスクユニットを提供する。【解決手段】防護マスク１は、防火材で形成された可撓性の基材２に、視認部７と、呼吸部１０と、頭部保護部３０と、を備え、呼吸部は、有毒ガスや煙の体内への侵入を緩和するフィルター部１１を備え、フィルター部は除去することでフィルター機能が活性化するセパレータ１７を備え、使用時にはセパレータを除去しフィルター部を介して防護マスク内外の空気を互いに流通自在に形成する。防護マスクユニットは、建物の天井等に配設される災害検知器と、防護マスクの保管場所近傍に配設される点灯型報知器と、で構成される。【選択図】図１
0003205324.tif 000002
【実用新案登録請求の範囲】
【請求項１】
災害時に顔面及び頭部を一体に被覆して保護する防護マスクであって、
防火材で形成された可撓性の基材に、視認部と、呼吸部と、頭部保護部と、を備え、
前記視認部は防護マスク内側から目視により防護マスク外側を視認可能な透過性を有する耐熱材で形成し、
前記呼吸部は、有毒ガスや煙の体内への侵入を緩和するフィルター部を備え、前記フィルター部は除去することでフィルター機能が活性化するセパレータを備え、使用時には前記セパレータを除去し前記フィルター部を介して防護マスク内外の空気を互いに流通自在に形成し、
前記頭部保護部は外部から頭部への機械的衝撃を緩和する緩衝材で形成し、
しかも、前記呼吸部は紐状のセパレータ分離部を備え、前記セパレータ分離部の一方の端部は前記セパレータと連結し、他方の端部にはセパレータ連結係止部を備えることで、前記セパレータ連結係止部により前記セパレータ分離部を防護マスクの保管場所近傍に係止することで防護マスクの前記保管場所から防護マスクを前記セパレータ分離部の長さに応じて所定距離だけ離間させると前記セパレータが前記フィルター部から分離するように構成したことを特徴とする防護マスク。
【請求項２】
前記フィルター部は含水した繊維材からなる湿潤な濡れ部を備えたことを特徴とする請求項１に記載の防護マスク。
【請求項３】
前記基材に照明部を備え、
前記照明部は前記視認部から視認される外部への視界に向けて照射される蓄電池により発光する光源を有し、
しかも、前記照明部は紐状の照明スイッチ起動部を備え、前記照明スイッチ起動部の一方の端部は前記照明部の起動スイッチと着脱自在に連結し分離することで前記光源を発光状態とし、他方の端部には起動スイッチ連結係止部を備えることで、前記起動スイッチ連結係止部により前記照明スイッチ起動部を防護マスクの前記保管場所近傍に係止することで防護マスクの前記保管場所から防護マスクを前記照明スイッチ起動部の長さに応じて所定距離だけ離間させると前記照明スイッチ起動部の前記一方の端部が前記起動スイッチから分離して前記光源が発光するように構成したことを特徴とする請求項１または２に記載の防護マスク。
【請求項４】
前記照明スイッチ起動部の前記一方の端部には前記照明部の電気配線の中途部を遮断する絶縁材料からなる絶縁体を備え、前記絶縁体の除去により前記電気配線が導通して前記光源が発光するように前記起動スイッチを構成したことを特徴とする請求項３に記載の防護マスク。
【請求項５】
紐状の手袋連結部を備え、前記手袋連結部の一方の端部に防熱手袋を連接し、他方の端部を防護マスクの前記基材に連接したことを特徴とする請求項１乃至４のいずれか１項に記載の防護マスク。
【請求項６】
請求項１乃至５に記載の防護マスクと、建物の天井等に配設され火災や地震を検知する災害検知器と、前記防護マスクの保管場所近傍に配設される点灯型報知器と、で構成された防護マスクユニットであって、
前記災害検知器が災害を検知すると前記点灯型報知器が作動して少なくとも光により災害の発生を報知すると共に前記防護マスクの前記保管場所を知らしめるように構成したことを特徴とする防護マスクユニット。
【考案の詳細な説明】
【技術分野】
【０００１】
この考案は、災害時に容易に装着することができ、しかも、装着するだけで少なくとも有毒ガスや煙の体内への侵入を確実に緩和できる防護マスク、及び、災害を検知して防護マスクの保管場所を確実に報知する防護マスクユニットに関する。
【背景技術】
【０００２】
従来より、火災や地震等の災害が発生した際、煙や有毒なガス、炎、落下物等から身体を防護しながら避難するための装着具が種々考案されており、中でも、特に防護が必要な頭部と顔面に特化した装着具は避難の際に最も重要な役割を果たす。
【０００３】
例えば、特許文献１に記載の防毒頭巾マスクでは、伸張性を備え、且つ耐熱性及び耐火性材料である基材を用いることで、頭部から首にかけて略密着して装着でき、しかも、呼吸の際に有毒なガスや煙を体内に取り込まないようフィルター構造を備えている。
【０００４】
また、特許文献２に記載の常備用防災具では、頭部を保護する安全帽の下端縁に防災フードを連接して頭部から首までを被覆可能とし、安全帽に配設された照明手段を点灯自在とする小型バッテリーを安全帽の所定箇所に内蔵している。
【０００５】
更に、防災フードには携帯電話やラジオ等の情報機器を収納自在に設けており、上述した小型バッテリーとの接続により該機器を使用可能に構成している。
【先行技術文献】
【特許文献】
【０００６】
【特許文献１】特開平８−３１８００２号公報
【特許文献２】実用新案登録第３０２０５０３号公報
【考案の概要】
【考案が解決しようとする課題】
【０００７】
しかしながら、特許文献１に係る防毒頭巾マスクでは、伸張性を備えた基材により顔面や頭部に基材が略密着しフィルター構造も備えることで有毒ガスや煙に対する防護が図られ、しかも、顔面や頭部への火傷を防止できる点では一定の効果が期待できるものの、基材を頭部に略密着させる構造により、頭部を保護するための機構を備えることが困難となり、落下物に対する防護については期待できなかった。
【０００８】
また、該マスクは装着することで基材に頭部等が略密着する構造により、装着の際には開口部を手で拡開しながら頭部を挿入し、首に向かって押し下げる必要があるが、精神的に動転しがちな災害時に間違いなく適切に装着することができるのか問題であった。
【０００９】
また、災害が発生していない平常時に防毒頭巾マスクを所定箇所に保管しておいても、フィルターを構成する活性炭等の部材が経時的に劣化するため、災害時に適切なフィルター機能を発揮できるか疑問があった。
【００１０】
この場合、例えば、フィルター部材に劣化防止用の被覆材等を貼着し、使用時に剥離除去することも検討されるが、災害時における不安定な精神状態で装着した万人が被覆部材の除去に思い至るか、または、短時間で適切に除去できるか問題である。
【００１１】
また、特許文献２に係る常備用防災具では、災害時の避難の際に携帯電話やラジオ等の情報機器のバッテリーが消耗したとしても、小型バッテリーを使用することで該機器の使用が可能となり、状況判断や外部との通信が可能となる点で一定の効果が期待できる。
【００１２】
しかしながら、このような状況は火災以外の災害時にその発生場所に長時間取り残された際の非常手段ではあるが、火災が発生した場合には一刻も早く安全な場所に移動することが求められるため、該防災具の機能を発揮できる機会は限定的であった。
【００１３】
また、夜間や火災時の煙による視界不良の際には、該防災具に配設された照明は一定の効果が期待できるが、災害時に一刻も早く避難することが求められる不安定な精神状態で装着した万人が照明の存在に思い至るか、または、照明のスイッチを短時間で適切にＯＮ状態にして点灯させることができるか非常に問題である。
【００１４】
更に、特許文献１，２に係る防毒頭巾マスクや常備用防災具は、災害に備えて保管しておいても、常日頃の避難訓練等でその保管場所を確実に認識していなければ、実際に災害が発生した際、万人が迷うことなく迅速に保管場所に辿り着き、装着できるか疑問があった。
【００１５】
特に、夜間や火災時の煙による視界不良の際にこれら防毒頭巾マスクや常備用防災具の保管場所を把握することは非常に困難であり、実用面で大きな問題があった。
【００１６】
本考案は、以上のような事情に鑑みてなされたものであり、災害時に容易に装着することができ、しかも、装着するだけで少なくとも有毒ガスや煙の体内への侵入を確実に緩和できる防護マスク、及び、災害を検知して防護マスクの保管場所を確実に報知する防護マスクユニットを提供することにある。
【課題を解決するための手段】
【００１７】
以上のような目的を達成するために、本考案は以下のようなものを提供する。
【００１８】
請求項１に係る考案では、災害時に顔面及び頭部を一体に被覆して保護する防護マスクであって、防火材で形成された可撓性の基材に、視認部と、呼吸部と、頭部保護部と、を備え、前記視認部は防護マスク内側から目視により防護マスク外側を視認可能な透過性を有する耐熱材で形成し、前記呼吸部は、有毒ガスや煙の体内への侵入を緩和するフィルター部を備え、前記フィルター部は除去することでフィルター機能が活性化するセパレータを備え、使用時には前記セパレータを除去し前記フィルター部を介して防護マスク内外の空気を互いに流通自在に形成し、前記頭部保護部は外部から頭部への機械的衝撃を緩和する緩衝材で形成し、しかも、前記呼吸部は紐状のセパレータ分離部を備え、前記セパレータ分離部の一方の端部は前記セパレータと連結し、他方の端部にはセパレータ連結係止部を備えることで、前記セパレータ連結係止部により前記セパレータ分離部を防護マスクの保管場所近傍に係止することで防護マスクの前記保管場所から防護マスクを前記セパレータ分離部の長さに応じて所定距離だけ離間させると前記セパレータが前記フィルター部から分離するように構成したことを特徴とする防護マスク。
【００１９】
請求項２に係る考案では、前記フィルター部は含水した繊維材からなる湿潤な濡れ部を備えたことを特徴とする請求項１に記載の防護マスク。
【００２０】
請求項３に係る考案では、前記基材に照明部を備え、前記照明部は前記視認部から視認される外部への視界に向けて照射される蓄電池により発光する光源を有し、しかも、前記照明部は紐状の照明スイッチ起動部を備え、前記照明スイッチ起動部の一方の端部は前記照明部の起動スイッチと着脱自在に連結し分離することで前記光源を発光状態とし、他方の端部には起動スイッチ連結係止部を備えることで、前記起動スイッチ連結係止部により前記照明スイッチ起動部を防護マスクの前記保管場所近傍に係止することで防護マスクの前記保管場所から防護マスクを前記照明スイッチ起動部の長さに応じて所定距離だけ離間させると前記照明スイッチ起動部の前記一方の端部が前記起動スイッチから分離して前記光源が発光するように構成したことを特徴とする請求項１または２に記載の防護マスク。
【００２１】
請求項４に係る考案では、前記照明スイッチ起動部の前記一方の端部には前記照明部の電気配線の中途部を遮断する絶縁材料からなる絶縁体を備え、前記絶縁体の除去により前記電気配線が導通して前記光源が発光するように前記起動スイッチを構成したことを特徴とする請求項３に記載の防護マスク。
【００２２】
請求項５に係る考案では、紐状の手袋連結部を備え、前記手袋連結部の一方の端部に防熱手袋を連接し、他方の端部を防護マスクの前記基材に連接したことを特徴とする請求項１乃至４のいずれか１項に記載の防護マスク。
【００２３】
請求項６に係る考案では、請求項１乃至５に記載の防護マスクと、建物の天井等に配設され火災や地震を検知する災害検知器と、前記防護マスクの保管場所近傍に配設される点灯型報知器と、で構成された防護マスクユニットであって、前記災害検知器が災害を検知すると前記点灯型報知器が作動して少なくとも光により災害の発生を報知すると共に前記防護マスクの前記保管場所を知らしめるように構成したことを特徴とする防護マスクユニット。
【考案の効果】
【００２４】
請求項１記載の考案によれば、災害時に顔面及び頭部を一体に被覆して保護する防護マスクであって、防火材で形成された可撓性の基材に、視認部と、呼吸部と、頭部保護部と、を備え、視認部は防護マスク内側から目視により防護マスク外側を視認可能な透過性を有する耐熱材で形成し、呼吸部は、有毒ガスや煙の体内への侵入を緩和するフィルター部を備え、フィルター部は除去することでフィルター機能が活性化するセパレータを備え、使用時にはセパレータを除去しフィルター部を介して防護マスク内外の空気を互いに流通自在に形成し、頭部保護部は外部から頭部への機械的衝撃を緩和する緩衝材で形成し、しかも、呼吸部は紐状のセパレータ分離部を備え、セパレータ分離部の一方の端部はセパレータと連結し、他方の端部にはセパレータ連結係止部を備えることで、セパレータ連結係止部によりセパレータ分離部を防護マスクの保管場所近傍に係止することで防護マスクの保管場所から防護マスクをセパレータ分離部の長さに応じて所定距離だけ離間させるとセパレータがフィルター部から分離するように構成したことより、災害発生時に保管場所から防護マスクを取り出すだけで、自らセパレータを除去しなくてもセパレータが自動的に除去されるので、災害時の不安定な精神状態であってもフィルター部が活性化し確実にフィルター機能を発揮することができる。
【００２５】
請求項２記載の考案によれば、フィルター部は含水した繊維材からなる湿潤な濡れ部を備えたことより、簡易な構造でフィルター部を構成できるので防護マスクを安価に製造でき、しかも、有毒ガスや煙の粒子の体内への侵入量を確実に緩和することができる。
【００２６】
請求項３記載の考案によれば、基材に照明部を備え、照明部は視認部から視認される外部への視界に向けて照射される蓄電池により発光する光源を有し、しかも、照明部は紐状の照明スイッチ起動部を備え、照明スイッチ起動部の一方の端部は照明部の起動スイッチと着脱自在に連結し分離することで光源を発光状態とし、他方の端部には起動スイッチ連結係止部を備えることで、起動スイッチ連結係止部により照明スイッチ起動部を防護マスクの保管場所近傍に係止することで防護マスクの保管場所から防護マスクを照明スイッチ起動部の長さに応じて所定距離だけ離間させると照明スイッチ起動部の一方の端部が起動スイッチから分離して光源が発光するように構成したことより、災害発生時に保管場所から防護マスクを取り出すだけで、自ら照明部のスイッチをＯＮ状態にすることなく照明部の光源を発光させることができるので、災害時の不安定な精神状態であっても確実に照明部を機能させることができる。
【００２７】
請求項４記載の考案によれば、照明スイッチ起動部の一方の端部には照明部の電気配線の中途部を遮断する絶縁材料からなる絶縁体を備え、絶縁体の除去により電気配線が導通して光源が発光するように起動スイッチを構成したことより、簡易でシンプルな構造で起動スイッチを構成できるので防護マスクを安価に製造でき、しかも、通常時の点灯確認作業を容易に行うことができるので簡便に取り扱うことができる。
【００２８】
請求項５記載の考案によれば、紐状の手袋連結部を備え、手袋連結部の一方の端部に防熱手袋を連接し、他方の端部を防護マスクの基材に連接したことより、災害時に防護マスクを装着すれば確実に防熱手袋の存在を認識でき、避難時に該手袋を装着することで、火災により高温となったドアノブを火傷することなく操作したり、怪我することなく瓦礫を除去しながら避難することができる。
【００２９】
請求項６記載の考案によれば、請求項１乃至５に記載の防護マスクと、建物の天井等に配設され火災や地震を検知する災害検知器と、防護マスクの保管場所近傍に配設される点灯型報知器と、で構成された防護マスクユニットであって、災害検知器が災害を検知すると点灯型報知器が作動して少なくとも光により災害の発生を報知すると共に防護マスクの保管場所を知らしめるように構成したことより、防護マスクの保管場所を認識していなくても確実に防護マスクを見つけて避難することができる。
【図面の簡単な説明】
【００３０】
【図１】（ａ）は本実施形態に係る防護マスクの斜視図であり、（ｂ）は正面図で、（ｃ）は右側面図である。
【図２】（ａ）は簡易透視図で示した防護マスクを装着した装着者の上半部を示す図で、（ｂ）は装着時の様子を示す説明図である。
【図３】（ａ）は防護マスクの保管場所を示す説明図で、（ｂ）は（ａ）の背板に配設した係止部を示す部分拡大図である。
【図４】（ａ）は呼吸部の断面図で、（ｂ）は呼吸部の正面図で、（ｃ）はフィルター部の正面図で、（ｄ）はセパレータを除去する様子を示す説明図である。
【図５】（ａ）は図１（ｃ）のＡ−Ａ線断面図で、（ｂ）は頭部保護部の斜視図である。
【図６】（ａ）は照明部の側面図で、（ｂ）は照明部の断面図で、（ｃ）は絶縁体を除去する様子を示す説明図である。
【図７】本実施形態に係る防護マスクユニットが配備された建物内を示す説明図である。
【図８】防護マスクの保管場所を示す他の説明図である。
【図９】（ａ）は防護マスクの保管場所を示す他の説明正面図で、（ｂ）はその側面図である。
【考案を実施するための形態】
【００３１】
本考案に係る防護マスクの要旨は、災害時に顔面及び頭部を一体に被覆して保護する防護マスクであって、防火材で形成された可撓性の基材に、視認部と、呼吸部と、頭部保護部と、を備え、視認部は防護マスク内側から目視により防護マスク外側を視認可能な透過性を有する耐熱材で形成し、呼吸部は、有毒ガスや煙の体内への侵入を緩和するフィルター部を備え、フィルター部は除去することでフィルター機能が活性化するセパレータを備え、使用時にはセパレータを除去しフィルター部を介して防護マスク内外の空気を互いに流通自在に形成し、頭部保護部は外部から頭部への機械的衝撃を緩和する緩衝材で形成し、しかも、呼吸部は紐状のセパレータ分離部を備え、セパレータ分離部の一方の端部はセパレータと連結し、他方の端部にはセパレータ連結係止部を備えることで、セパレータ連結係止部によりセパレータ分離部を防護マスクの保管場所近傍に係止することで防護マスクの保管場所から防護マスクをセパレータ分離部の長さに応じて所定距離だけ離間させるとセパレータがフィルター部から分離するように構成したことを特徴とする。すなわち、災害時に容易に装着することができ、しかも、装着するだけで少なくとも有毒ガスや煙の体内への侵入を確実に緩和できる防護マスクの提供を図ろうとするものである。
【００３２】
また、本考案に係る防護マスクユニットの要旨は、防護マスクと、建物の天井等に配設され火災や地震を検知する災害検知器と、防護マスクの保管場所近傍に配設される点灯型報知器と、で構成された防護マスクユニットであって、災害検知器が災害を検知すると点灯型報知器が作動して少なくとも光により災害の発生を報知すると共に防護マスクの保管場所を知らしめるように構成したことを特徴とする。すなわち、災害を検知して防護マスクの保管場所を確実に報知する防護マスクユニットの提供を図ろうとするものである。
【００３３】
以下、本考案に係る防護マスク及び防護マスクユニットの実施形態について図面を参照しながら説明する。また、本説明中において左右同一又は左右対称の構造や部品については、原則として同一の符号を付し、左右何れか一方のみを説明して、他方については説明を適宜省略する。
【００３４】
[防護マスクの実施形態]
本考案の実施形態に係る防護マスク１は、図１（ａ）〜（ｃ）に示すように、防火材で形成された可撓性の基材２に、視認部７と、呼吸部１０と、頭部保護部３０と、を備え、視認部７は防護マスク１内側から目視により防護マスク１外側を視認可能な透過性を有する耐熱材で形成し、呼吸部１０は、有毒ガスや煙の体内への侵入を緩和するフィルター部１１を備え、フィルター部１１は除去することでフィルター機能が活性化するセパレータ１７を備え、使用時にはセパレータ１７を除去しフィルター部１１を介して防護マスク１内外の空気を互いに流通自在に形成し、頭部保護部３０は外部から頭部への機械的衝撃を緩和する緩衝材で形成している。
【００３５】
このように、防護マスク１は、簡易な構造でありながら装着しても視界を確保でき、呼吸も可能であるため、災害時であっても容易に装着でき、更に、避難時に少なくとも頭部や顔面を炎や瓦礫等から保護でき、しかも、落下物から頭部を保護することができる。なお、図２（ｂ）は本実施形態に係る防護マスク１を装着した様子を示している。
【００３６】
また、呼吸部１０は紐状のセパレータ分離部２１を備え、セパレータ分離部２１の一方の端部２２はセパレータ１７と連結し、他方の端部２３にはセパレータ連結係止部２４を備えている。
【００３７】
なお、本実施形態に係る防護マスク１の保管場所Ａは、図３（ａ）に示すような前面開口で２段に形成された外観視矩形箱状の保管棚ａに頭部保護部３０が下方となる向きで保管したり、図８に示すような上方開口で仕切板７１を備えた箱体７０に視認部７が上方となる向きで保管したり、図９（ａ）、（ｂ）に示すような壁面Ｓ等に吊着して保管する等して、保管棚ａの背板ａ１や壁面Ｓ等に、図３（ｂ）や図８、図９（ａ）、（ｂ）に示すようなＪ字状フックａ２を配設している。
【００３８】
従って、セパレータ連結係止部２４によりセパレータ分離部２１を防護マスク１の保管場所Ａに配設したＪ字状フックａ２に係止することで防護マスク１の保管場所Ａから防護マスク１をセパレータ分離部２１の長さに応じて所定距離だけ離間させるとセパレータ１７がフィルター部１１から分離する。
【００３９】
このように、防護マスク１は、保管場所Ａから防護マスク１を取り出して装着する際に自動的にセパレータ１７が除去されるので、災害時の不安定な精神状態であっても確実にフィルター機能を発揮させて呼吸機能を害することなく安全に避難することができる。
【００４０】
なお、本実施形態に係る防護マスク１では、照明部４０や防熱手袋６５を備え、視界不良の環境下における避難時の照明、及び高温の建具や危険な瓦礫等から手を保護する手袋として有効な機能を有している。
【００４１】
以下、本実施形態に係る防護マスク１の各部の構造について具体的に詳述する。
【００４２】
まず、防護マスク１の骨格をなす基材２は、図１（ａ）〜（ｃ）、図２（ａ）に示すように、底部に開口を有する有底筒状の本体部３と、本体部３の開口縁から対向して両外側に伸延する肩防護部４，４と、肩防護部４，４を形成しない開口縁の前方から垂下した首防護部５と、を備えている。
【００４３】
基材２は、可撓性を備えたシート状の防火材からなり、上端部を凸状に湾曲させ、下端部の開口までを筒状に形成して本体部３をなしている。本体部３の前方上部には開口を形成して視認部７を配設し、視認部７の直下にも開口を形成して呼吸部１０を配設している。
【００４４】
また、本体部３の上部内側面にはヘルメット状の頭部保護部３０を配設し、本体部３の左右側部には各々照明部４０，４０を配設している。なお、照明部４０の配設箇所や個数は本実施形態に限定されるものではない。
【００４５】
また、肩防護部４，４は基材２からなり略長方形状に形成し、防護マスク１装着時に装着者Ｍの両肩を上方から被覆して保護し、首防護部５も基材２からなり略半円弧状に形成し、装着者Ｍの首や胸の上部を保護する。
【００４６】
また、防熱手袋６５は、紐状の手袋連結部６６の一方の端部に連接し、他方の端部を肩防護部４，４の下側面に連接して防護マスク１と一体に構成している。
【００４７】
このように、防護マスク１は基材２に各部を備え、災害時の避難時に各々の機能を果たすことで安全で迅速な避難を可能としている。
【００４８】
各部の構造をより具体的に説明すると、基材２は防火材として防炎加工や難燃加工された可撓性を有する生地または合成樹脂材からなり、例えば、ポリエステル繊維を難燃剤に浸漬させ乾燥させることで難燃剤を繊維に固着させたり、防炎スプレーを基材２の表面に噴霧することができる。
【００４９】
視認部７は、防護マスク１内側から目視により防護マスク１外側を視認可能な透過性を有するシート状の耐熱材を横長の長方形状に形成し、本体部３に穿設した略同形状の開口を視認部７により閉塞するようにして基材２に接続している。耐熱材は、例えば、硬質塩化ビニル樹脂やポリカーボネート樹脂や強化ガラス等が挙げられる。
【００５０】
呼吸部１０は、図４（ａ）〜（ｄ）に示すように、有毒ガスや煙の粒子の体内への侵入を緩和するフィルター部１１を備え、フィルター部１１は前後フィルター１２，１３と、空気や水分を遮断するセパレータ１７で被覆された含水した繊維材からなる湿潤な濡れ部１６とからなり、使用時にはセパレータ１７を除去して濡れ部１６を露出させ、フィルター部１１を介して防護マスク１内外の空気を互いに流通自在に形成している。
【００５１】
なお、呼吸部１０は、少なくとも装着者Ｍの口に近接して呼吸ができるように形成しているが、本実施形態に係る防護マスク１では装着者Ｍの鼻にも近接して鼻呼吸を可能なように構成している。
【００５２】
更に、呼吸部１０は紐状のセパレータ分離部２１を備え、セパレータ分離部２１の一方の端部２２はセパレータ１７と連結し、他方の端部２３にはセパレータ連結係止部２４を備えている。
【００５３】
本実施形態に係る防護マスク１では、フィルター部１１は、図４（ａ）、（ｂ）に示すように、矩形状の前フィルター１２と後フィルター１３と濡れ部１６とで構成し、濡れ部１６は矩形袋状のセパレータ１７により被覆されている。また、前後フィルター１２，１３は、本体部３に穿設した略同形状の開口の開口縁を前後フィルター１２，１３の外縁部で挟持し縫合１４により開口を閉塞するように基材２と接続している。
【００５４】
前後フィルター１２，１３と基材２との縫合１４においては、セパレータ１７を除去する際にセパレータ１７を排出するためのセパレータ排出部１５を形成するために、図４（ｂ）に示すように、前後フィルター１２，１３の外縁部の左右一方の辺の中央部は基材２と縫合せず、この未縫合部分をセパレータ排出部１５としている。
【００５５】
前フィルター１２は、防炎加工や難燃加工された可撓性を有する生地または合成樹脂材からなり、例えば、ポリエステル繊維を難燃剤に浸漬させ乾燥させることで難燃剤を繊維に固着させることができる。また、後フィルター１３は、通気性の良い不織布により形成している。
【００５６】
また、セパレータ１７で被覆された濡れ部１６は、前後フィルター１２，１３間に収納される。濡れ部１６は、繊維状のガーゼに水分を含水したものであり、本実施形態に係る濡れ部１６は、綿１００％のガーゼに対し、主剤として精製水と、消毒剤として塩酸ポリヘキサニドと、抗菌・防カビ剤としてブチカルバミン酸ヨウ化ブロニビルと、を適量含有し、ガーゼから水分が滴下しない程度に含水させている。
【００５７】
このように構成した濡れ部１６は、防護マスク１の装着者Ｍが呼吸部１０を介して外気を吸引する際に、有毒ガスや煙の粒子を濾過する役割を果たす。
【００５８】
従って、外気を吸引する場合、埃等の大きな粒子は前フィルター１２で集塵され、前フィルター１２を通過した有毒ガスや煙の細かい粒子は濡れ部１６で集塵される。濡れ部１６を通過した清浄な空気は後フィルター１３を通過して装着者Ｍの体内へと吸引される。
【００５９】
また、呼吸により装着者Ｍが吐き出す気体等は、後フィルター１３から濡れ部１６を介して前フィルター１２を通過し、防護マスク１の外部に排出される。この場合、後フィルター１３は、装着者Ｍの鼻や口が濡れ部１６に直に接触せず、装着者Ｍの唾や痰等を濡れ部１６に付着させないだけでなく、濡れ部１６を防護マスク１に略固定させるための機能を果たす。
【００６０】
また、濡れ部１６を被覆するセパレータ１７は、空気や水分、ガス等の流通を遮断する材料、例えば、ポリプロピレンやポリエチレン、ポリエステル等の合成樹脂材により袋状に形成して濡れ部１６を密封する。図４（ｃ）に示すように、セパレータ１７の左右一方の辺の中央部には紐状のセパレータ分離部２１の一方の端部２２が連結可能なように外側に凸状の連結部１８を形成し、連結部１８にはセパレータ分離部２１を挿通して結束可能な挿通孔１９を穿設している。
【００６１】
連結部１８と対向するセパレータ１７の他方の辺は、セパレータ１７を連結部１８側に引き抜く際に容易に破断するよう脆弱部２０を形成している。脆弱部２０は、例えば、セパレータ１７を袋状に溶着する際に溶着温度や溶着幅等の製造条件を調整することで形成することができる。
【００６２】
また、セパレータ分離部２１の他方の端部２３には金属製で円環状のセパレータ連結係止部２４を備えており、防護マスク１の保管場所Ａ近傍に形成されたＪ字状フックａ２等に容易に係止することができる。
【００６３】
なお、セパレータ連結係止部２４の形状や構造については本実施形態に限定されるものではなく、例えば、Ｊ型フックであったり、スプリングフックであったり、本考案の要旨の範囲内において種々の変形・変更が可能であり、当然にセパレータ分離部２１の他方の端部２３をそのまま結束して使用する場合であっても該端部２３がセパレータ連結係止部２４となることは言うまでもない。
【００６４】
呼吸部１０を上述のように構成することで、防護マスク１を保管場所Ａから取り出す際に、図４（ｄ）に示すように、セパレータ分離部２１の長さを超えた時点でセパレータ分離部２１が直線状に緊張しつつ濡れ部１６を被覆していたセパレータ１７が脆弱部２０を起点として破断し、前後フィルター１２，１３に形成したセパレータ排出部１５からセパレータ１７が排出される。
【００６５】
従って、防護マスク１を保管場所Ａから取り出すだけでセパレータ１７が除去され、フィルターとして活性化した新鮮な濡れ部１６により、有毒ガスや煙の粒子から装着者Ｍを保護することができる。
【００６６】
なお、本実施形態に係るフィルター部１１では濡れ部１６を採用しているが、フィルター部１１の構造や形状等はこれに限定されるものではなく、濡れ部１６の水分を如何なる性質の液体で構成してもよく、また、濡れ部１６の代わりにフィルターとして機能するもの、例えば、活性炭入りの乾燥した不織布等を用いたり、矩形状ではなく円形状に形成したり、セパレータ１７の脆弱部２０を他の方法で形成したり等、本考案の要旨の範囲内において種々の変形・変更が可能である。
【００６７】
また、本考案に係るセパレータの語は、上述した構成に限定されるものではなく、例えば、フィルターとして機能する乾燥したガーゼを隣接配置した風船状の袋体に水分を内包し、袋体と連結した紐状のセパレータ分離部２１を引き剥がすことで袋体が破断するように構成した場合であっても、破断する袋体の破断箇所がセパレータとなることは言うまでもなく、セパレータの除去によりフィルターが活性化する構成であれば本考案の要旨の範囲内である。
【００６８】
頭部保護部３０は、図５（ａ）、（ｂ）に示すように、装着者Ｍの頭部から両耳までを囲繞する緩衝材として合成樹脂材からなるヘルメット状に形成し、本体部３の上部内側面に配設している。使用される合成樹脂材は、例えば、耐熱性や耐候性に優れたＦＲＰ材やＰＣ材等を用いることができる。
【００６９】
頭部保護部３０は、滑らかに湾曲した頭部囲繞部３１と、両耳を囲繞する耳囲繞部３２，３２と、で構成され、耳囲繞部３２，３２には複数の通音孔３３を穿設すると共に、内側面にはウレタン等を円盤状に形成した耳緩衝材３４を貼着している。
【００７０】
このように耳囲繞部３２を形成することで、耳緩衝材３４により装着者Ｍの耳の圧迫を緩和し、通音孔３３を介して外部の音を聞き易くしている。なお、耳緩衝材３４は通音孔３３を通じて聞こえる音を更に鮮明にするために通音孔３３と連通した複数の孔３５を穿設したり、発泡密度を祖にして形成してもよい。また、耳囲繞部３２に当接する本体部３の基材２に細かい孔を穿設してもよい。
【００７１】
また、頭部囲繞部３１の内側壁には、頭部と頭部囲繞部３１との間で別途の緩衝材としての役割を果たすウレタン等で形成した頭部緩衝材を貼着してもよい。この場合、頭上からの落下物に対して頭部囲繞部３１が緩衝材として頭部を保護するばかりか、頭部緩衝材によっても更なる保護を行うことができる。
【００７２】
なお、本実施形態に係る頭部保護部３０は頭部囲繞部３１と耳囲繞部３２とが一体となったヘルメット状に形成しているが、頭部保護部３０の構造や形状等はこれに限定されるものではなく、例えば、耳囲繞部３２を省略したり、分割した片部を紐状部材で各々連結してヘルメット状に形成したり、ウレタン等で形成した頭部緩衝材のみで柔軟性のある頭部保護部３０を形成したり等、本考案の要旨の範囲内において種々の変形・変更が可能である。
【００７３】
従って、防護マスク１は、図５（ａ）、（ｂ）に示すような定型化したヘルメット状である必要がないため、例えば、小粒のウレタン等を扁平状の袋体に充填して形成した頭部緩衝材のみで柔軟性のある頭部保護部３０を形成すれば、図８や図９（ｂ）に示すように保管場所Ａへの収納時に収納スペースを狭小に抑えることができる。
【００７４】
照明部４０は、本体部３の左右側部に各々配設され、図６（ａ）〜（ｃ）に示すように、視認部７から視認される外部への視界に向けて照射される蓄電池４６により発光する光源５１を有している。
【００７５】
また、照明部４０は紐状の照明スイッチ起動部５５を備え、照明スイッチ起動部５５の一方の端部５６は照明部４０の起動スイッチ４９と着脱自在に連結し分離することで光源５１を発光状態とし、他方の端部５７には起動スイッチ連結係止部５８を備えている。
【００７６】
更に、照明スイッチ起動部５５の一方の端部５６には照明部４０の電気配線の中途部を遮断する絶縁材料からなる絶縁体５０を備え、絶縁体５０の除去により電気配線が通電して光源５１が発光するように起動スイッチ４９を構成している。
【００７７】
具体的には、照明部４０は、図６（ｂ）に示すように、外形をなす有底円筒状で金属や合成樹脂の難燃性材料からなる筐体４１と、配線部４３と、蓄電池４６と、光源５１等が実装された回路基板５３と、反射板５４と、で構成し、筐体４１の外周部に形成した図示しない固定部を介して基材２に縫合することで固定している。
【００７８】
なお、基材２への照明部４０の固定方法については、例えば、基材２の外周部に照明部４０を収納可能な収納部を形成して収納したり等、本考案の要旨の範囲内において種々の変形・変更が可能である。
【００７９】
筐体４１の周壁中途部には径方向に開口した絶縁体挿通孔４２を穿設している。絶縁体挿通孔４２は後述する絶縁体５０を挿抜自在に形成している。
【００８０】
配線部４３は、蓄電池４６のマイナス端子側４７と当接して導通するバネ材からなるマイナス端子部４４を有すると共に、蓄電池４６のプラス端子側４８と当接して導通する板状で断面視Ｌ字状のプラス端子部４５を有し、マイナス端子部４４とプラス端子部４５は各々回路基板５３に接続され、光源５１に通電することで発光する。
【００８１】
なお、本実施形態に係る照明部４０では、光源５１としてＬＥＤ発光素子を用いているが、電気抵抗によりニクロム線が発光する電球であっても、その他如何なる光源であっても本考案の要旨の範囲内であり、光源５１から照射される光５２は、擂鉢状で前方拡開状の反射板５４により拡散しながら前方を照射する。
【００８２】
筐体４１に形成された絶縁体挿通孔４２は、蓄電池４６のプラス端子側４８とプラス端子部４５との接点に相当する箇所に形成しており、本実施形態では該接点を起動スイッチ４９として形成している。そして、絶縁材料であるプラスチックの板材からなる絶縁体５０をこれらの間隙に挿通することで電気配線の中途部が遮断され光源５１が消灯し、絶縁体５０を除去することで点灯するように構成している。
【００８３】
この場合、絶縁体５０の除去により、バネ材からなるマイナス端子部４４の付勢力により蓄電池４６がプラス端子部４５側に付勢して当接し、電気配線が導通する。
【００８４】
絶縁体５０は、紐状の照明スイッチ起動部５５の一方の端部５６と連結し、他方の端部５７には金属製で円環状の起動スイッチ連結係止部５８を備えており、防護マスク１の保管場所Ａ近傍に形成されたＪ字状フックａ２等に容易に係止することができる。
【００８５】
なお、起動スイッチ連結係止部５８の形状や構造については本実施形態に限定されるものではなく、例えば、Ｊ型フックであったり、スプリングフックであったり、本考案の要旨の範囲内において種々の変形・変更が可能であり、当然に照明スイッチ起動部５５の他方の端部５７をそのまま結束して使用する場合であっても該端部５７が起動スイッチ連結係止部５８となることは言うまでもない。
【００８６】
また、本実施形態においては絶縁体５０の挿抜により電気配線の導通を制御して起動スイッチ４９としているが、起動スイッチ４９をマグネットスイッチで形成し、照明スイッチ起動部５５の一方の端部５６にマグネットを配設する等、本考案の要旨の範囲内において種々の変形・変更が可能である。
【００８７】
照明部４０を上述のように構成することで、防護マスク１を図３（ａ）に示すような保管場所Ａから取り出す際に、図６（ｃ）に示すように、照明スイッチ起動部５５の長さを超えた時点で照明スイッチ起動部５５が直線状に緊張しつつ筐体４１から絶縁体５０が除去される。
【００８８】
従って、防護マスク１を保管場所Ａから取り出すだけで照明部４０の起動スイッチ４９がＯＮ状態となり光源５１が発光する。
【００８９】
また、図２（ａ）に示すように、防護マスク１の装着者Ｍの両肩を上方から被覆して保護する肩防護部４，４は、基材２をそのまま延設して形成してもよいが、上方からの落下物から装着者Ｍの肩を更に安全に防護するために、ウレタン等の緩衝材や軽量な合成樹脂材を基材２に内設等してもよい。
【００９０】
また、防護マスク１の装着者Ｍの首や胸の上部を保護する首防護部５も、基材２をそのまま延設して形成してもよいが、ウレタン等の緩衝材や軽量な合成樹脂材を基材２に内設等してもよい。
【００９１】
防熱手袋６５は、例えば、アラミド繊維を主材としたり、外皮をシリコーンで形成したり、外部からの熱を手に伝達し難い材料で形成している。また、防熱手袋６５は、紐状の手袋連結部６６の他方の端部を肩防護部４，４の下側面に連接して防護マスク１と一体に構成しているが、手袋連結部６６の他方の端部を連接する箇所は特に限定されない。
【００９２】
以上、説明したように本実施形態に係る防護マスク１は、防火材で形成された可撓性の基材２に、視認部７と、呼吸部１０と、頭部保護部３０と、を備え、視認部７は防護マスク１内側から目視により防護マスク１外側を視認可能な透過性を有する耐熱材で形成し、呼吸部１０は、有毒ガスや煙の体内への侵入を緩和するフィルター部１１を備え、フィルター部１１は除去することでフィルター機能が活性化するセパレータ１７を備え、使用時にはセパレータ１７を除去しフィルター部１１を介して防護マスク１内外の空気を互いに流通自在に形成し、頭部保護部３０は外部から頭部への機械的衝撃を緩和する緩衝材で形成し、しかも、呼吸部１０は紐状のセパレータ分離部２１を備え、セパレータ分離部２１の一方の端部２２はセパレータ１７と連結し、他方の端部２３にはセパレータ連結係止部２４を備えることで、セパレータ連結係止部２４によりセパレータ分離部２１を防護マスク１の保管場所Ａ近傍に係止することで防護マスク１の保管場所Ａから防護マスク１をセパレータ分離部２１の長さに応じて所定距離だけ離間させるとセパレータ１７がフィルター部１１から分離するように構成したことより、災害発生時に保管場所Ａから防護マスク１を取り出すだけで、自らセパレータ１７を除去しなくてもセパレータ１７が自動的に除去されるので、災害時の不安定な精神状態であっても確実に活性化したフィルター機能を発揮することができる。
【００９３】
また、フィルター部１１は含水した繊維材からなる湿潤な濡れ部１６を備えたことより、簡易な構造でフィルター部１１を構成できるので防護マスク１を安価に製造でき、しかも、有毒ガスや煙の粒子の体内への侵入量を確実に緩和することができる。
【００９４】
また、基材２に照明部４０を備え、照明部４０は視認部７から視認される外部への視界に向けて照射される蓄電池４６により発光する光源５１を有し、しかも、照明部４０は紐状の照明スイッチ起動部５５を備え、照明スイッチ起動部５５の一方の端部５６は照明部４０の起動スイッチ４９と着脱自在に連結し分離することで光源５１を発光状態とし、他方の端部５７には起動スイッチ連結係止部５８を備えることで、起動スイッチ連結係止部５８により照明スイッチ起動部５５を防護マスク１の保管場所Ａ近傍に係止することで防護マスク１の保管場所Ａから防護マスク１を照明スイッチ起動部５５の長さに応じて所定距離だけ離間させると照明スイッチ起動部５５の一方の端部５６が起動スイッチ４９から分離して光源５１が発光するように構成したことより、災害発生時に保管場所Ａから防護マスク１を取り出すだけで、自ら照明部４０のスイッチをＯＮ状態にすることなく照明部４０の光源５１を発光させることができるので、災害時の不安定な精神状態であっても確実に照明部４０を機能させることができる。
【００９５】
また、照明スイッチ起動部５５の一方の端部５６には照明部４０の電気配線の中途部を遮断する絶縁材料からなる絶縁体５０を備え、絶縁体５０の除去により電気配線が導通して光源５１が発光するように起動スイッチ４９を構成したことより、簡易でシンプルな構造で起動スイッチ４９を構成できるので防護マスク１を安価に製造でき、しかも、通常時の点灯確認作業を容易に行うことができるので簡便に取り扱うことができる。
【００９６】
更に、紐状の手袋連結部６６を備え、手袋連結部６６の一方の端部に防熱手袋６５を連接し、他方の端部を防護マスク１の基材２に連接したことより、災害時に防護マスク１を装着すれば確実に防熱手袋６５の存在を認識でき、避難時に該手袋６５を装着することで、火災により高温となったドアノブを火傷することなく操作したり、怪我することなく瓦礫を除去しながら避難することができる。
【００９７】
なお、本実施形態に係る防護マスク１の変形例として、本体部３の所定箇所に液体を内包したセパレータを配設し、呼吸部１０の構成の如く防護マスク１を保管場所Ａから所定距離移動させることでセパレータが除去され、防護マスク１全体に液体が塗布されるような構造も可能である。この場合、液体は単なる水であってもよいが、人体に影響のない消火剤等であることが望ましい。
【００９８】
次に、本実施形態に係る防護マスクユニット１００について図面を参照しながら説明する。
【００９９】
[防護マスクユニットの実施形態]
本考案の実施形態に係る防護マスクユニット１００は、図７に示すように、上述した防護マスク１と、建物Ｂの天井Ｕ等に配設され火災や地震を検知する災害検知器１０１と、防護マスク１の保管場所Ａ近傍に配設される点灯型報知器１０２と、で構成された防護マスクユニット１００であって、災害検知器１０１が災害を検知すると点灯型報知器１０２が作動して少なくとも光により災害の発生を報知すると共に防護マスク１の保管場所Ａを知らしめるように構成している。
【０１００】
災害検知器１０１は、天井Ｕや壁面Ｓ等の通常では動くことがない箇所に設置され、その機能は火災警報器や地震警報器、又はこれらの複合機であり、火災の場合、例えば、煙の検知であれば、災害検知器１０１内に配設された発光ダイオードの光が通常では受光素子に到達しないように構成し、煙の粒子が該検知器１０１内に侵入することで粒子により乱反射した発光ダイオードの光が受光素子に到達して煙を検知することができる。
【０１０１】
また、火災による熱の検知であれば、例えば、該検知器１０１内に配設された熱電対により所定の温度を検知することができる。
【０１０２】
更に、地震の場合は、例えば、該検知器１０１内に配設された加速度センサや角速度センサにより該検知器の傾きや振動を検知することができる。
【０１０３】
また、災害検知器１０１は、火災や地震が発生したことを検知して点灯型報知器１０２に伝達する手段として有線または無線による送信部を備えている。
【０１０４】
点灯型報知器１０２は、防護マスク１の保管場所Ａの近傍、本実施形態では保管棚ａの上面に設置され、上部に回転灯１０３を有し、下部に受信部１０４を有している。受信部１０４は災害検知器１０１から送信された信号を有線または無線で受信し、上部の回転灯１０３を起動させるように構成している。
【０１０５】
なお、災害検知器１０１や点灯型報知器１０２は、商用電源や蓄電池により稼働し、複数の災害検知器１０１からの検知信号を１つの点灯型報知器１０２で受信したり、複数の点灯型報知器１０２で受信することができ、防護マスク１の保管場所Ａの数に対応して設置することができる。
【０１０６】
従って、複数の部屋や各階のいずれかの部屋で火災が発生しても、各々の部屋において点灯型報知器１０２が防護マスク１の保管場所Ａを知らしめることができる。
【０１０７】
また、災害検知器１０１は、建物Ｂが備える電子錠に開錠のための信号を送信することもできる。この場合、火災や地震を検知することで停電により電子錠が無効化されて開錠できなくなるリスクをいち早く除去することができ、避難通路の確保が可能となる。このような開錠の信号は建物Ｂ全体に適用することができる。
【０１０８】
なお、防護マスク１の保管場所Ａについては、頭部保護部３０を定型化したヘルメット状ではなく柔軟性のある構造を採用した場合には、例えば、図８に示すような上方開口で仕切板７１を備えた小型の箱体７０に視認部７が上方となる向きで縮小させて保管したり、図９（ａ）、（ｂ）に示すような壁面Ｓ等に吊着して保管する等できる。
【０１０９】
図９（ａ），（ｂ）に示す保管構成では、防護マスク１の頭部周面に環状に縫合した脆弱な係止紐７５を壁面Ｓ等に形成したＪ字状フックａ２に係止すると共に、セパレータ連結係止部２４と起動スイッチ連結係止部５８，５８を同様にＪ字状フックａ２に係止することで防護マスク１を壁面Ｓ等に保管することができるように構成している。なお、図中の防護マスク１は、肩防護部４や首防護部５を形成しておらず、本体部３を本体部３の下端全周にわたり下方へ延設した形状としているが、これに限定されるものではない。
【０１１０】
このように構成することで、防護マスク１を下方へ引っ張れば係止紐７５が破断すると共にセパレータ１７や絶縁体５０が除去されてフィルター部１１や照明部４０が活性化した状態で防護マスク１を取り出すことができる。なお、防護マスク１を壁面Ｓ等に吊着する方法は様々であり、例えば、防護マスク１の頭部近傍を容易に分離可能なクリップ等で係止する等、種々の変形変更が可能である。
【０１１１】
また、防護マスク１をカバー体７６で略被覆して保管することで防護マスク１への埃等の付着を防止でき、更に、カバー体７６を黄色や赤色等の目立つ色彩等で形成すれば、常に防護マスク１の保管場所Ａを意識することができる。
【０１１２】
この場合、カバー体７６は、防護マスク１を略被覆する大きさで、上方一部開口で下方開口の略袋状に形成し、上方の開口部７７の左右端部にカバー体係止紐７８を環状に縫合して形成する。そして、カバー体係止紐７８をＪ字状フックａ２に係止することで防護マスク１を被覆したまた保管することができる。なお、カバー体７６は防護マスク１の下方が露出する程度の大きさに形成することで防護マスク１の取り出しが容易となる。
【０１１３】
以上、説明したように本実施形態に係る防護マスクユニット１００は、上述した防護マスク１と、建物Ｂの天井Ｕ等に配設され火災や地震を検知する災害検知器１０１と、防護マスク１の保管場所Ａ近傍に配設される点灯型報知器１０２と、で構成された防護マスクユニット１００であって、災害検知器１０１が災害を検知すると点灯型報知器１０２が作動して少なくとも光により災害の発生を報知すると共に防護マスク１の保管場所Ａを知らしめるように構成したことより、防護マスク１の保管場所Ａを認識していなくても確実に防護マスク１を見つけて避難することができる。
【０１１４】
以上、本考案に係る防護マスク１と防護マスクユニット１００の好ましい実施形態について説明したが、これら防護マスク１と防護マスクユニット１００は特定の実施形態に限定されるものではなく、種々の変形・変更が可能である。
【符号の説明】
【０１１５】
Ａ  保管場所
Ｂ  建物
Ｕ  天井
１  防護マスク
２  基材
７  視認部
１０  呼吸部
１１  フィルター部
１６  濡れ部
１７  セパレータ
３０  頭部保護部
２１  セパレータ分離部
２２  一方の端部
２３  他方の端部
２４  セパレータ連結係止部
４０  照明部
４６  蓄電池
４９  起動スイッチ
５０  絶縁体
５１  光源
５５  照明スイッチ起動部
５６  一方の端部
５７  他方の端部
５８  起動スイッチ連結係止部
６５  防熱手袋
６６  手袋連結部
１００  防護マスクユニット
１０１  災害検知器
１０２  点灯型報知器
【図１】
0003205324.tif 000003
【図２】
0003205324.tif 000004
【図３】
0003205324.tif 000005
【図４】
0003205324.tif 000006
【図５】
0003205324.tif 000007
【図６】
0003205324.tif 000008
【図７】
0003205324.tif 000009
【図８】
0003205324.tif 000010
【図９】
0003205324.tif 000011